(57)【要約】【課題】記録してあるデジタル放送信号に含まれる古くなったコンテンツ等を視聴するときに、コンテンツ提供側の意図した情報および視聴者により有益な情報を得ることができるデジタル放送の記録および再生システムを提供する。【解決手段】送信機器側では、放送しているそれぞれのコンテンツに有効期限を設けて送信し、受信機器側では、再生時にコンテンツの有効期限が切れていた場合に、その時点での放送に含まれるコンテンツもしくは予め記録しておいた新しいコンテンツと差し替えて出力する。また、別の構成として、送信機器側では、放送しているコンテンツに優先度を決めるパラメータを設けて送信し、受信機器側では、より優先度の高いコンテンツをその時点で放送されているコンテンツと差し替えるか、または、予め記録しておいたコンテンツ中を検索し、優先度の高いコンテンツをその時点で放送されているコンテンツと差し替えて出力する。【選択図】        図１
2004328414.tif 000002
【特許請求の範囲】
【請求項１】
デジタル映像／音声信号Ａを出力するデジタル放送の再生システムであって、前記信号Ａに含まれるコンテンツＸに関する情報を取得する手段と、
取得した情報から前記コンテンツＸの出力が必要か不要かを判断する手段と、
前記コンテンツＸを別の代替コンテンツＹと差し替えて出力する手段を備え、
再生時に不要であるコンテンツＸを他の代替コンテンツＹで置き換えて出力することを特徴とするデジタル放送の再生システム。
【請求項２】
デジタル映像／音声信号Ａを出力するデジタル放送の再生システムであって、
前記信号Ａに含まれるコンテンツＸに関する情報を取得する手段と、
別に取得した代替コンテンツＹおよびその代替コンテンツＹに関する情報を取得する手段と、
前記コンテンツＸに関する情報と、前記代替コンテンツＹに関する情報とを比較して、前記代替コンテンツＹが前記コンテンツＸと代替可能でかつ優先度が高いかを判断する手段と、
前記コンテンツＸを前記代替コンテンツＹと差し替えて出力する手段を備え、
再生時にコンテンツＸと代替可能でより優先度の高い代替コンテンツＹで置き換えて出力することを特徴とするデジタル放送の再生システム。
【請求項３】
請求項１または２に記載のデジタル放送の再生システムであって、
前記信号Ａに含まれる各コンテンツＸに関する情報を予め読み出しておく手段を備え、
各コンテンツＸの出力までに代替コンテンツＺを検索または取得しておくための時間をつくることを特徴とするデジタル放送の再生システム。
【請求項４】
請求項１または２に記載のデジタル放送の再生システムであって、
前記信号Ａの再生中に別のデジタル映像／音声信号Ｂを取得する手段を備え、
前記代替コンテンツＹとして前記信号Ｂの少なくとも一部を使用することを特徴とするデジタル放送の再生システム。
【請求項５】
請求項４に記載のデジタル放送の再生システムであって、
差し替えを行なうコンテンツＸの実際の再生前に代替コンテンツＹを前記信号Ｂより検索および取得する手段と、
取得した前記代替コンテンツＹを一時的に記録しておく手段を備え、
前記コンテンツＸと差し替えるのに最適な代替コンテンツＹを取得することを特徴とするデジタル放送の再生システム。
【請求項６】
デジタル映像／音声信号Ｃを記録するデジタル放送の記録システムであって、
前記信号Ｃに含まれるコンテンツＺに関する情報を取得する手段と、
記録した前記信号Ｃの先頭もしくは再生時に前記コンテンツＺより先に読み出せる場所に、前記コンテンツＺに関する情報を書き込む手段を備え、
再生時に前記コンテンツＺに関する情報を該コンテンツＺよりも先に取得できるようにしたことを特徴とするデジタル放送の記録システム。
【請求項７】
デジタル映像／音声信号Ａを出力するデジタル放送の再生機器であって、
前記信号Ａに含まれるコンテンツＸに関する情報を取得する手段と、
取得した情報から前記コンテンツＸの出力が必要か不要かを判断する手段と、
前記コンテンツＸを別の代替コンテンツＹと差し替えて出力する手段を備え、
再生時に不要であるコンテンツＸを他の代替コンテンツＹで置き換えて出力することを特徴とするデジタル放送の再生機器。
【請求項８】
デジタル映像／音声信号Ａを出力するデジタル放送の再生機器であって、
前記信号Ａに含まれるコンテンツＸに関する情報を取得する手段と、
別に取得した代替コンテンツＹおよびその代替コンテンツＹに関する情報を取得する手段と、
前記コンテンツＸに関する情報と、前記代替コンテンツＹに関する情報とを比較して、前記代替コンテンツＹが前記コンテンツＸと代替可能でかつ優先度が高いか判断する手段と、
前記コンテンツＸを前記代替コンテンツＹと差し替えて出力する手段を備え、
再生時にコンテンツＸと代替可能でより優先度の高い代替コンテンツＹで置き換えて出力することを特徴とするデジタル放送の再生機器。
【請求項９】
請求項７または８に記載のデジタル放送の再生機器であって、
前記信号Ａに含まれる各コンテンツＸに関する情報を予め読み出しておく手段を備え、
各コンテンツＸの出力までに代替コンテンツＺを検索または取得しておくための時間をつくることを特徴とするデジタル放送の再生機器。
【請求項１０】
請求項７または８に記載のデジタル放送の再生機器であって、
前記信号Ａの再生中に別のデジタル映像／音声信号Ｂを取得する手段を備え、
前記代替コンテンツＹとして前記信号Ｂの少なくとも一部を使用することを特徴とするデジタル放送の再生機器。
【請求項１１】
請求項１０に記載のデジタル放送の再生機器であって、
差し替えを行なうコンテンツＸの実際の再生前に代替コンテンツＹを前記信号Ｂより検索および取得する手段と、
取得した前記代替コンテンツＹを一時的に記録しておく手段を備え、
前記コンテンツＸと差し替えるのに最適な代替コンテンツＹを取得することを特徴とするデジタル放送の再生機器。
【請求項１２】
デジタル映像／音声信号Ｃを記録するデジタル放送の記録機器であって、
前記信号Ｃに含まれるコンテンツＺに関する情報を取得する手段と、
記録した前記信号Ｃの先頭もしくは再生時に前記コンテンツＺより先に読み出せる場所に、前記コンテンツＺに関する情報を書き込む手段を備え、
再生時に前記コンテンツＺに関する情報を該コンテンツＺよりも先に取得できるようにしたことを特徴とするデジタル放送の記録機器。
【請求項１３】
デジタル映像／音声信号を送信するデジタル放送の送信機器であって、
過去もしくは現在送信を行なっているコンテンツに対する代替コンテンツを集める手段と、
前記集めた代替コンテンツを繰り返し送信する手段を備え、
受信機器にて希望の代替コンテンツを取得しやすくすることを特徴とするデジタル放送の送信機器。
【請求項１４】
デジタル映像／音声信号を送信するデジタル放送の送信機器であって、
送信信号に含まれるコンテンツに関する情報を前記コンテンツよりも先に送信する手段を備え、
受信機器にて希望の代替コンテンツを検索および取得しやすくすることを特徴とする送信機器。
【請求項１５】
コンピュータに、請求項１乃至５のいずれかに記載のデジタル放送の再生システムの機能、請求項６に記載のデジタル放送の記録システムの機能、請求項７乃至１１のいずれかに記載のデジタル放送の再生機器の機能、請求項１２に記載のデジタル放送の記録機器の機能、または、請求項１３または１４に記載のデジタル放送の送信機器の機能を実行させるためのプログラム。
【請求項１６】
請求項１５に記載のプログラムを記録したコンピュータ読み取り可能な記録媒体。
【発明の詳細な説明】
【０００１】
【発明の属する技術分野】
本発明は、デジタル放送の記録システムおよびその記録機器、デジタル放送の再生システムおよびその再生機器、デジタル放送の送信機器、プログラム並びに記録媒体に関し、特に、デジタル放送番組中のＣＭを差し替える技術に関する。
【０００２】
【従来の技術】
ＢＳデジタル放送や広帯域ＣＳ放送および地上波デジタル放送などのデジタル放送の普及とともに、番組の録画を行なう録画機器もＤＶＤやＨＤＤなどを用いたデジタル化が進んでいる。
これらのデジタル録画機器は、複数のチャンネルが多重されて送られて来た放送波のＴＳの中から、録画対象となるチャンネルに関する情報のみを分離したパーシャルＴＳを構成し、記録を行なう。
再生時には、記録されたパーシャルＴＳを読み出して、放送波と同様に受信機でデコードを行いながら映像および音声を出力する。
【０００３】
特許文献１の「放送受信端末装置」では、視聴者の所有する放送受信端末装置に内蔵されるストレージ装置の一部領域をサービス事業者ごとに専用の領域として視聴者が確保し、この領域確保がなされるとサービス事業者へ通知する。
この通知されたサービス事業者は、戦略に基づいてＴＶコマーシャル（ＣＭ）データやコンテンツデータを配信して該領域へ自由に格納する。
また、視聴者が放送されたＴＶ番組を録画しておき、録画再生（タイムシフト視聴）時に、番組中に含まれていたＣＭを、サービス事業者専用の領域として確保された領域に記憶されているＣＭまたはコンテンツと差し替えて視聴するようにした。
これにより、サービス事業者が視聴者に対して確実にサービスを提供するとともに、視聴者も確実にサービスを受けられることを可能としている。
【０００４】
【特許文献１】
特開２００２−２３２８１３号公報
【０００５】
【発明が解決しようとする課題】
一般に、ＣＭ等は放送をリアルタイムで視聴されることを前提に作られており、同一のスポンサーでもその内容は新商品の発表や季節の変わり目およびその時期に行なわれているイベント等によりたびたび更新されるものである。
しかし、一般の録画再生機器では希望の番組の他に、その番組の合間に挿入されたコマーシャル（ＣＭ）やデータ放送などもそのまま記録され、そしてそのまま再生されている。
【０００６】
したがって、記録されたＣＭは、記録された時期に合わせた内容であるので、すぐに再生して視聴される場合は問題ないが、ある程度の期間を経てから再生されると、ＣＭの情報が古くなり放送側の意図した内容を伝えることができなくなってしまう。
【０００７】
また、記録された放送のうち、視聴者が意図的に記録したのは番組だけで、ＣＭはその番組の合間にたまたま挿入されていただけである。
したがって、視聴者の立場からすると、ＣＭは、ある特定のＣＭを視聴したくて記録されたものではなく、単なる新商品やイベント等の情報を得るための情報源であるから、情報の古くなった過去のＣＭは視聴者からも必要とされていないと考えられる。
【０００８】
しかし、ＣＭを記録時または再生時に削除することも技術的には可能と考えられるが、そもそもＣＭはスポンサーが宣伝費用を支払って挿入されているものなので、簡単に削除されてはスポンサーとしてのメリットが小さくなってしまう。
【０００９】
このような問題点に対して、上述した特許文献１の技術では、予め受信端末側に視聴者によってスポンサー毎に専用の蓄積領域を与え、その領域にスポンサーが意図した最新のＣＭデータを常に保存するようにしているため、双方にとって最新のＣＭを授受できるようになっている。
しかし、この方法では、視聴者が指定したスポンサー以外のＣＭに対しては最新の情報に置き換わらない上に、スポンサーの方で自由にＣＭ等を配信するので、ＣＭデータのための占有領域も大きくなってしまう。
さらに、視聴者が指定したスポンサーが提供する番組を再生しない限り、蓄積しているＣＭが実際に視聴されない（差し替えるＣＭが再生されない可能性が高い）ため、余剰なデータ蓄積が多くなってしまう。
【００１０】
本発明は、上述した実情を考慮してなされたのであって、古くなったコンテンツ（ＣＭ）等を含む記録してあったデジタル放送信号を視聴するときに、この時点で最も新しいコンテンツにそれぞれ差し替えて出力するようにして、視聴者がより有益な情報を得ることができる再生システムおよび再生機器、記録システムおよび記録機器、デジタル放送の送信機器、プログラム並びに記録媒体を提供することを目的とする。
【００１１】
さらに、本発明は、古くなったコンテンツに関連したコンテンツを選択して差し替えるようにして、コンテンツ提供側の意図した情報に、より近い情報を視聴者に視聴させることができる再生システムおよび再生機器、記録システムおよび記録機器、デジタル放送の送信機器、プログラム並びに記録媒体を提供することを目的とする。
【００１２】
【課題を解決するための手段】
上述の課題を解決するために、本発明を次のように構成する。
送信機器側では、放送しているそれぞれのコンテンツに有効期限を設けて送信する。受信機器側では、記録したコンテンツに関しては、再生時にその有効期限に従い制御を行なう。すなわち、受信機器側では、再生時にコンテンツの有効期限が切れていた場合には、その時点での放送に含まれるコンテンツもしくは予め記録しておいた新しいコンテンツと差し替えて出力する。
【００１３】
また、別の構成として、送信機器側では、放送しているコンテンツに優先度を決めるパラメータを設けて送信する。
受信機器側では、記録したコンテンツを再生するとき、より優先度の高いコンテンツをその時点で放送されているコンテンツと差し替えて出力する。
または、予め記録しておいたコンテンツの中から検索し、該当するコンテンツが見つかった場合は、優先度の高いコンテンツをその時点で放送されているコンテンツと差し替えて出力する。
【００１４】
優先度を決めるパラメータとしては、例えば、企業ＩＤ、シリーズＩＤ、コンテンツ放送日時およびバージョンナンバー等が挙げられる。
企業ＩＤは、古くなったコンテンツと同じ企業の新しいコンテンツを優先的に差し替えることによってスポンサーの優位性を保つために用いる。
シリーズＩＤは、同じ企業でもいくつかのコンテンツを同時に放送している場合に、もとのコンテンツと同じような商品を優先して差し替えるために用いる。
また、コンテンツ放送日時およびバージョンナンバーは、もともと記録されていたコンテンツが古くなったかどうかの判別を行なうために用いる。
【００１５】
これらの情報は、送信側で各コンテンツに多重して送信したり、コンテンツには識別情報だけを多重して、実際の情報はインターネットやケーブル網の双方向通信等の別の通信手段を用いたりして取得することができるが、記録時にはまとめて記録しておき、番組再生時の最初に読み出すことで実際にコンテンツが再生されるまでに時間的余裕ができるため、差し替えるコンテンツを検索および取得することがたやすくなる。
また、日時情報や有効期限などは、固有の情報として外部から取得する方法の他に、記録時の日時情報から受信側で任意に設定する方法も可能である。
【００１６】
さらに、最新のコンテンツを取得するには、次のようにする。
（１）受信機の未使用時を利用して放送中の番組を定期的にチェックし、予め記録メディアに最新コンテンツを記録しておく。
（２）コンテンツ専用チャンネルを送信側で用意して、受信側でコンテンツを差し替えるたびにそのコンテンツ専用チャンネルへ選局して、最新コンテンツを取得する。
【００１７】
さらに、番組再生時の初めに、その番組に含まれるコンテンツ情報を予め取得しておく。これにより、実際に差し替える古いコンテンツの再生までに時間的余裕が生まれるので、インターネット等の通信手段を用いたり、コンテンツ専用チャンネルを監視したりして必要な最新コンテンツだけを効率的に取得することができる。
【００１８】
以上のような構成にしたことにより、古くなったコンテンツ等を含む記録してあったデジタル放送信号を視聴するときに、この時点で最も新しいコンテンツに差し替えて出力するようにしたので、記録してあったデジタル放送信号に含まれるすべてのコンテンツが公平に更新され、視聴者はより有益な情報を得ることができる。
【００１９】
さらに、古くなったコンテンツに関連したコンテンツを選択して差し替えるようにしたので、コンテンツ提供者側の意図した情報に、より近い情報を視聴者に視聴させることができる。
【００２０】
また、再生時に必要なコンテンツのみをその都度取得するようにしたので、差し替えに必要なコンテンツを一時的に記憶しておく占有領域が少量ですむ。
【００２１】
【発明の実施の形態】
以下、図を参照して本発明の好適な実施例の説明をする。
実施例では、コンテンツとして有効期限の効果が顕著なＣＭを例にして説明するが、特にＣＭに限定するものではない。
【００２２】
（第一の実施例）
（Ａ）受信機のブロック図
図１は、第一の実施例における受信機のブロック図であり、同図において、受信機は、放送信号を復調して希望のＴＳ（Ｔｒａｎｐｏｒｔ  Ｓｔｒｅａｍ）を取り出す受信部１０１と、受信部１０１より取り出したＴＳから希望の映像／音声データおよび各種情報を分離、取得し、さらに有効期限などの付加情報の設定を行なう第１分離部１０２と、記録要求があった場合に第１分離部１０２から必要な情報だけを取り出したパーシャルＴＳとして記録する記録部１０５と、再生要求があった場合に記録部１０５より読み出したパーシャルＴＳから再度希望の映像／音声データおよび各種情報を分離、取得する第２分離部１０８と、第１分離部１０２および第２分離部１０８からの出力のどちらかを選択して出力するセレクタ１０９と、セレクタ１０９より出力される映像／音声データを元の映像／音声へデコードするデコーダ１０３と、デコードされた映像／音声を画面およびスピーカーから出力する出力部１０４と、視聴者がリモコン等の操作で動作指示を行なう視聴者入力部１０６と、視聴者入力部１０６からの指示をもとに各ブロックの動作制御を行なう制御部１０７とからなる。
【００２３】
（Ｂ）送信機のブロック図
図２は、第一の実施例における送信機のブロック図であり、同図において、送信機は、各ブロックの動作制御を行なう制御部２０１と、番組の映像／音声を含む番組データ２０２と、ＣＭの映像／音声を含むＣＭデータ２０３と、番組データ２０２およびＣＭデータ２０３より取り出したデータをエンコードして一つのチャンネルデータの作成を行なうエンコーダ２０４と、一つ以上のチャンネルデータを多重化してＴＳとして編成する多重化部２０５と、ＴＳを変調して放送信号として出力する送信部２０６とからなる。
【００２４】
ここで、エンコーダ２０４は、制御部２０１からの指示により、放送を行なう番組のデータを番組データ２０２から取得してエンコードするが、番組データ２０２にはＣＭの挿入ポイントおよび挿入時間等の情報をあらかじめ記録しておき、エンコーダ２０４では、必要に応じてＣＭデータ２０３からＣＭを随時取得して挿入する。また、ＣＭデータ２０３には、各ＣＭの映像／音声の他に、各ＣＭの有効期限や企業ＩＤ等のＣＭに関する情報を記録しておき、エンコーダ２０４で各ＣＭの映像／音声にそれぞれの情報およびＣＭであることを判別するための情報を多重する。その際、各映像／音声データよりもそのデータに関する情報の方を先に送信できるように多重する。
さらに、各チャンネルのＣＭデータ２０３の情報を全て、ある特定チャンネルに集めて繰り返し送信することにより、ＣＭ専用チャンネルを作成する。
このように集めたＣＭデータを繰り返し送信することにより、受信機側にて希望のＣＭデータを取得しやすくなる。
また、ＣＭに関する情報を各ＣＭに多重して送信せずに、ＣＭ情報として識別情報だけを多重して送信し、実際の情報は受信側でこの識別情報を用いてインターネットやケーブル網の双方向通信等の別の通信手段を用いて取得するようにしてもよい。
【００２５】
（Ｃ）受信機における記録動作
図３は、図１の受信機における制御部１０７の放送記録時の制御動作を示すフローチャートである。
ユーザもしくは予約録画システムから放送記録開始の指示を受けることにより、放送記録動作を開始する（ステップ３０１）。
【００２６】
記録中のチャンネルに含まれる情報を監視して、現在記録している映像／音声がＣＭであるかどうかを判断する（ステップ３０２）。ＣＭであった場合（ステップ３０２のＹＥＳ）はステップ３０３へ進み、それ以外の場合はステップ３０４へ進む。
【００２７】
ＣＭを記録する際に、そのＣＭの有効期限を同時に記録する（ステップ３０３）。有効期限は、放送に多重されて送られて来るものをそのまま使用するが、有効期限が放送に多重されていない場合や多重された情報を取得する手段を持たない場合、受信側で有効期間を予め設定しておき、記録時の日時情報から任意に設定することもできる（有効期限＝現在日時＋有効期間）。
【００２８】
ユーザもしくはシステムから放送記録終了の指示を受け取ったかどうかを判断し（ステップ３０４）、受け取った場合は、放送記録動作を終了する（ステップ３０５）。
一方、放送記録終了の指示を受け取ってない場合（ステップ３０４のＮＯ）、同じ処理を繰り返すためにステップ３０２へ進む。
【００２９】
（Ｄ）受信機における再生動作
図４は、図１の受信機における制御部１０７の記録番組再生時の制御動作を示すフローチャートである。
ユーザもしくは予約再生システムから記録番組の再生開始の指示を受け、図１における記録部１０５より読み出された記録番組のパーシャルＴＳを第２分離部１０８で処理することにより、再生動作を開始する（ステップ４０１）。
最新のＣＭを取得するために、図１における受信部１０１で放送波に含まれるＣＭチャンネルを受信し、そのＴＳを第１分離部１０２で処理する（ステップ４０２）。
【００３０】
再生中の記録番組がＣＭかどうかを判断し（ステップ４０３）、ＣＭである場合（ステップ４０３のＹＥＳ）、そのＣＭを再生するかどうかを判別するためにステップ４０４へ進む。
一方、ＣＭではない場合（ステップ４０３のＮＯ）、そのまま再生するためにステップ４０６へ進む。
【００３１】
再生中のＣＭの有効期限情報をチェックし（ステップ４０４）、その有効期限が切れている場合（ステップ４０４のＹＥＳ）、他のＣＭを出力しても良いと判断して、記録番組のＣＭを最新のＣＭと差し替えて出力するために、ステップ４０２で受信処理を行なったＣＭチャンネルの映像／音声を出力し、記録番組の出力を停止させて（ステップ４０５）、ステップ４０７へ進む。
【００３２】
他方、有効期限内である場合（ステップ４０４のＮＯ）、他のＣＭを出力してはいけないと判断して、記録番組をそのまま出力するために、ＣＭチャンネルの映像／音声の出力を停止させ、記録番組の出力を行なう（ステップ４０６）。
ユーザもしくはシステムから再生終了の指示があったかどうかを判断し、指示があった場合（ステップ４０７のＹＥＳ）、再生処理を終了する（ステップ４０８）。
一方、ユーザもしくはシステムから再生終了の指示がない場合（ステップ４０７のＮＯ）、同じ処理を繰り返すためにステップ４０３へ進む。
【００３３】
以上のように本第一の実施例を構成することにより、記録する番組に含まれるＣＭに有効期限を設け、再生時にその有効期限が切れていたときには、再生している時点で最新のＣＭと差し替えて出力するので、ＣＭから新たな情報を得るという視聴者の利益性を高めることができる。
【００３４】
（第二の実施例）
（Ａ）受信機のブロック図
図５は、第二の実施例における受信機のブロック図であり、同図において、上述した図１の受信機と同一の機能を有する部分については同一の符号を付している。また、本第二の実施例の送信機は、第一の実施例における送信機と同じである。
【００３５】
図５において、受信機は、放送信号を復調して希望のＴＳを取り出す受信部１０１と、受信部１０１より取り出したＴＳから希望の映像／音声データ、および各種情報を分離、取得し、さらに有効期限などの付加情報の設定を行なう第１分離部１０２と、記録要求があった場合に、第１分離部１０２から必要な情報だけを取り出したパーシャルＴＳとして記録する記録部１０５と、記録された番組の再生時に、放送で使用されている最新のＣＭを含むパーシャルＴＳを一時的に蓄積しておくＣＭ蓄積部５０１と、再生要求があった場合に記録部１０５およびＣＭ蓄積部５０１より読み出したパーシャルＴＳのどちらかを選択して出力するセレクタ５０２と、セレクタ５０２から出力されるパーシャルＴＳより、再度希望の映像／音声データ、および各種情報を分離、取得する第２分離部１０８と、第１分離部１０２および第２分離部１０８からの出力のどちらかを選択して出力するセレクタ１０９と、セレクタ１０９より出力される映像／音声データから元の映像／音声へデコードするデコーダ１０３と、デコードされた映像／音声を画面およびスピーカーから出力する出力部１０４と、視聴者がリモコン等の操作で動作指示を行なう視聴者入力部１０６と、視聴者入力部１０６からの指示をもとに各ブロックの動作制御を行なう制御部１０７とからなる。
【００３６】
記録部１０５には、第１分離部１０２から必要な情報だけを取り出したパーシャルＴＳとして記録する際に、取り出されたパーシャルＴＳ中にあるＣＭに関する情報を抜き出してＣＭデータベースとして構成し、パーシャルＴＳの先頭または最後尾に付加して記録する。
例えば、図６において、取り出された放送内容に、番組部分（１，２，３）とＣＭ（１，２，３）とが存在するときに、このＣＭ（１，２，３）に関する情報を集めてテーブル化したＣＭデータベースを構成し、記録部１０５へはＣＭデータベースを取り出した放送内容の先頭（または最後尾）へ付加して記録する。
【００３７】
（Ｂ）受信機における記録動作
図７は、図５の受信機における制御部１０７の放送記録時の制御動作を示すフローチャートである。
ユーザもしくは予約記録システムから放送記録開始の指示を受けることにより、放送記録動作を開始する（ステップ６０１）。
【００３８】
記録中のチャンネルに含まれる情報を監視して、現在記録している映像／音声がＣＭであるかどうかを判断する（ステップ６０２）。ＣＭであった場合（ステップ６０２のＹＥＳ）、ステップ６０３へ進み、それ以外の場合はステップ６０５へ進む。
【００３９】
記録中のＣＭの情報（例えば、優先度を決めるパラメータ）を取得し、現在記録している番組に含まれるＣＭとして初めて取得したのか、全く同じパラメータを持つ同種のＣＭをすでに取得しているのかを判断する（ステップ６０３）。
優先度を決めるパラメータとしては、例えば、企業ＩＤ、シリーズＩＤ、ＣＭ放送日時およびバージョンナンバー等が挙げられる。
企業ＩＤは、古くなったＣＭと同じ企業の新しいＣＭを優先的に差し替えることによってスポンサーの優位性を保つために用いる。
シリーズＩＤは、同じ企業でもいくつかのＣＭを同時に放送している場合に、もとのＣＭと同じような商品を優先して差し替えるために用いる。
また、ＣＭ放送日時およびバージョンナンバーは、もともと記録されていたＣＭが古くなったかどうかの判別を行なうために用いる。
【００４０】
初めて取得したものである場合（ステップ６０３のＮＯ）、記録中の番組には初めて挿入されたＣＭとして、ＣＭデータベースにそのＣＭ情報を追加して（ステップ６０４）、ステップ６０５へ進む。
【００４１】
一方、すでに取得したものである場合（ステップ６０３のＹＥＳ）、すでに同種のＣＭが記録されていて、情報として重複して持つ必要はないのでＣＭデータベースには加えずステップ６０５へ進む。
【００４２】
ユーザもしくはシステムから放送記録終了の指示があったかどうかを判断し（ステップ６０５）、指示があった場合（ステップ６０５のＹＥＳ）、ＣＭデータベースを番組と一緒に保存し、再生時に取得できるようにするために、記録した番組と関連付けて記録し（ステップ６０６）、記録処理を終了する（ステップ６０７）。
他方、ユーザもしくはシステムから放送記録終了の指示がない場合（ステップ６０５のＮＯ）、同じ処理を繰り返すためにステップ６０２へ進む。
【００４３】
（Ｃ）受信機における再生動作
図８は、図５の受信機における制御部１０７の記録番組再生時の制御動作を示すフローチャートである。
ユーザもしくは予約再生システムから記録番組の再生開始の指示を受けて再生動作を開始する（ステップ７０１）。
再生する番組に含まれるＣＭの情報をテーブル化したＣＭデータベースを記録部１０５から読み出す（ステップ７０２）。
このように番組再生時の最初に読み出すことで、実際に差し替える古いＣＭの再生までに時間的余裕が生まれるため、差し替えるＣＭを検索する場合や、インターネット等の通信手段を用いたり、ＣＭチャンネルを監視したりして必要な最新ＣＭだけを取得する場合に効率的に行なうことができる。
【００４４】
最新のＣＭを取得するために、図５における受信部１０１で放送波に含まれるＣＭチャンネルを受信し（例えば、図６のようにＣＭのみの放送）、そのＴＳを第１分離部１０２で監視する（ステップ７０３）。
図５における記録部１０５より読み出された記録番組のパーシャルＴＳを第２分離部１０８で処理し、所望の映像／音声を出力することにより、記録された番組の再生を開始する（ステップ７０４）。
【００４５】
ステップ７０３で受信したＣＭチャンネルより現在受信中のＣＭに対して、そのＣＭの情報とステップ７０２で取得したＣＭデータベース内の各ＣＭの情報を比較して、差し替え可能かどうかを判断する（ステップ７０５）。例えば、企業ＩＤが同じ同一企業のＣＭのうち、放送日時およびバージョンナンバーが新しいＣＭなら差し替え可能と判断する。
差し替え可能であった場合（ステップ７０５のＹＥＳ）、受信中のＣＭをあとで再生中の番組に含まれるＣＭとの差し替えに使用するために、図５におけるＣＭ蓄積部５０１にその映像／音声を一時的に蓄積（例えば、図６のＣＭ蓄積部内容参照）して（ステップ７０６）、ステップ７０７へ進む。
一方、差し替え不可であった場合（ステップ７０５のＮＯ）、そのＣＭの蓄積は行なわず、ステップ７０７へ進む。
【００４６】
再生中の記録番組がＣＭかどうかを判断し（ステップ７０７）、ＣＭである場合（ステップ７０７のＹＥＳ）、再生中のＣＭの情報とステップ７０６において蓄積済みのＣＭの情報から、再生中のＣＭと差し替え可能なＣＭがすでに蓄積済みであるかどうかを判断する（ステップ７０８）。
蓄積済みである場合（ステップ７０８のＹＥＳ）、再生中のＣＭをすでに蓄積済みの最新ＣＭと差し替えて出力するために、図５におけるＣＭ蓄積部５０１から該当ＴＳを読み出し、セレクタ５０２において出力をＣＭ蓄積部５０１からの出力に切り替え、第２分離部１０８で処理を行い映像／音声を出力して（ステップ７０９）、ステップ７１１へ進む。このとき、例えば蓄積済みのＣＭの中に差し替え可能なＣＭが複数含まれる場合は、シリーズＩＤを比較して一致するものでかつ未再生のものを優先させて使用する。
図６において、差し替え可能なＣＭ（１’と３’）をＣＭ蓄積部５０１から読み出し、記録部１０５に記憶された記録内容のＣＭ（１と３）と差し替えて再生内容としている。
【００４７】
一方、ＣＭではない場合（ステップ７０７のＮＯ）または蓄積されていない場合（ステップ７０８のＮＯ）は、再生中の記録番組をそのまま出力するために、図５におけるＣＭ蓄積部５０１の映像／音声の出力を停止させ、記録番組の出力を行い（ステップ７１０）、ステップ７１１へ進む。
【００４８】
ユーザもしくはシステムから再生終了の指示があったかどうかを判断し（ステップ７１１）、指示があった場合（ステップ７１１のＹＥＳ）、再生処理を終了する（ステップ７１２）。
他方、ユーザもしくはシステムから再生終了の指示がない場合（ステップ７１１のＮＯ）、同じ処理を繰り返すためにステップ７０５へ進む。
【００４９】
以上のように本第二の実施例を構成することにより、記録した番組に含まれるＣＭの再生時に、元のＣＭと同じ企業のより新しいＣＭと差し替えて出力することにより、スポンサーとしての優位性および利益も高めることができる。
【００５０】
（変形実施例）
前述の第二の実施例では、ＣＭ部分をまるごと他のＣＭと差し替えているが、映像もしくは音声だけ、さらにはデータ放送部分だけを差し替えるようにしてもよい。
例えば、図５の受信機において、セレクタ５０２を取り除き、ＣＭ蓄積部５０１および記録部１０５にそれぞれ第２分離部１０８を接続し、セレクタ１０９においてそれぞれから映像データ、音声データおよびデータ放送データを独立して取り出すようにすればよい。
【００５１】
また、最新ＣＭを取得する方法として、放送中のＣＭチャンネルから得る方法の他に、通常の番組に含まれるＣＭから取得したり、インターネットやＬＡＮ等の通信手段を用いて外部のサーバーから取得したりしてもよい。
【００５２】
さらに、差し替えるコンテンツは、ＣＭに限定したものではなく、例えば通信販売の商品紹介もしくは天気予報など、番組自体の一部を差し替えてもよい。
加えて、受信機で記録した番組の再生時の他に、現在放送されている番組に含まれるコンテンツを差し替えるようにしてもよい。
【００５３】
また、ＣＭを差し替えるかどうかの判断を行なうためのパラメータとして、受信機固有の情報を用いてもよい。例えば、放送局側との有料契約がされている受信機では完全な状態で視聴できるが、有料契約がされていない受信機では番組の一部をＣＭで差し替えられる等が考えられる。
【００５４】
本発明は、上述した各実施例の受信機または送信機を構成する各機能をそれぞれプログラム化し、予めＲＯＭのような記録媒体に書き込んでおき、受信機または送信機にそれぞれのＲＯＭを装着して、これらのプログラムをマイクロプロセッサで実行することによって、本発明の目的が達成されることは言うまでもない。
この場合、記録媒体から読み出されて実行された状態が上述した実施形態の機能を実現することになり、そのプログラムおよびそのプログラムを記録した記録媒体も本発明を構成することになる。
【００５５】
なお、このような機能を実現するプログラムは、半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれの形態の記録媒体で提供されてもよい。
あるいは、ネットワーク等の通信網を介して記憶装置に格納されたプログラムをサーバーコンピュータから直接供給を受けるようにしてもよい。この場合、このサーバーコンピュータの記憶装置も本発明の記録媒体に含まれる。
【００５６】
尚、本発明は上述した実施形態に限定されることなく、本発明の要旨を逸脱しない範囲内で各種の変形、修正が可能であるのは勿論である。
【００５７】
【発明の効果】
以上説明したように本発明によれば、古くなったコンテンツ等を含む記録してあったデジタル放送信号を視聴するときに、この時点で最も新しいコンテンツに差し替えて出力するようにしたので、記録してあったデジタル放送信号に含まれるすべてのコンテンツが公平に更新され、視聴者はより有益な情報を得ることができる。
【００５８】
さらに、古くなったコンテンツに関連したコンテンツを選択して差し替えるようにしたので、コンテンツ提供者側の意図した情報に、より近い情報を視聴者に視聴させることができる。
【００５９】
また、再生時に必要なコンテンツのみをその都度取得するようにしたので、差し替えに必要なコンテンツを一時的に記憶しておく占有領域が少量ですむ。
【図面の簡単な説明】
【図１】本発明の第一の実施例における受信機のブロック図である。
【図２】本発明の第一および第二の実施例における送信機のブロック図である。
【図３】図１の受信機の制御部における番組記録時の制御動作を示すフローチャートである。
【図４】図１の受信機の制御部における番組再生時の制御動作を示すフローチャートである。
【図５】本発明の第二の実施例における受信機のブロック図である。
【図６】記録部の記録内容と、ＣＭ部分を差し替えた再生内容の説明図である。
【図７】図５の受信機の制御部における番組記録時の制御動作を示すフローチャートである。
【図８】図５の受信機の制御部における番組再生時の制御動作を示すフローチャートである。
【符号の説明】
１０１…受信部、１０２…第１分離部、１０３…デコーダ、１０４…出力部、１０５…記録部、１０６…視聴者入力部、１０７…制御部、１０８…第２分離部、１０９…セレクタ、２０１…制御部、２０２…番組データ、２０３…ＣＭデータ、２０４…エンコーダ、２０５…多重化部、２０６…送信部、５０１…ＣＭ蓄積部、５０２…セレクタ。
【図１】
2004328414.tif 000003
【図２】
2004328414.tif 000004
【図３】
2004328414.tif 000005
【図４】
2004328414.tif 000006
【図５】
2004328414.tif 000007
【図６】
2004328414.tif 000008
【図７】
2004328414.tif 000009
【図８】
2004328414.tif 000010